(57)【要約】【課題】容易に出力する映像信号の種類を設定することができる映像信号出力装置を提供する。【解決手段】映像信号出力装置１は、映像信号が出力され得る複数の出力部１３ａ〜１３ｅと、出力部１３ａ〜１３ｅが外部の機器に接続されているか否かを判定する接続判定部１４ａ〜１４ｅと、設定を記録する記録部１６と、接続判定部１４ａ〜１４ｅにより外部の機器と接続されていると判定された出力部１３ａ〜１３ｅの少なくとも１つから映像信号が出力されるように設定して記録部１６に記録する制御部１５と、を備える。【選択図】図１
2011151646.tif 000002
【特許請求の範囲】
【請求項１】
映像信号が出力され得る複数の出力部を備えた映像信号出力装置において、
前記出力部が外部の機器に接続されているか否かを判定する接続判定部と、
前記接続判定部により外部の機器と接続されていると判定された前記出力部の少なくとも１つから映像信号が出力されるように設定する設定動作を行う制御部と、
を備えることを特徴とする映像信号出力装置。
【請求項２】
前記制御部が、少なくとも前記映像信号出力装置が出荷後初めて起動されるときに、前記設定動作を行うことを特徴とする請求項１に記載の映像信号出力装置。
【請求項３】
前記制御部が、前記出力部から出力される映像信号のフォーマットを設定することを特徴とする請求項１または請求項２に記載の映像信号出力装置。
【請求項４】
前記制御部が、前記出力部に接続される外部の機器の情報を当該出力部を介して取得し、当該情報に基づいて前記映像信号出力装置の設定を行うことを特徴とする請求項１〜請求項３のいずれかに記載の映像信号出力装置。
【請求項５】
前記接続判定部が、少なくとも１つの前記出力部の所定のピンの信号を検出することにより、当該出力部が外部の機器と接続されているか否かを判定することを特徴とする請求項１〜請求項４のいずれかに記載の映像信号出力装置。
【請求項６】
前記出力部の少なくとも１つにテスト用映像信号を供給して、当該出力部から当該テスト用映像信号を出力させる映像信号処理部をさらに備え、
前記接続判定部が、当該出力部から出力される前記テスト用映像信号の電圧値を検出することにより、当該出力部が外部の機器と接続されているか否かを判定することを特徴とする請求項１〜請求項５のいずれかに記載の映像信号出力装置。
【発明の詳細な説明】
【技術分野】
【０００１】
本発明は、映像信号を出力し得る複数の出力部を備える映像信号出力装置に関する。
【背景技術】
【０００２】
映像信号の多様化に伴い、光ディスクの読取装置やＳＴＢ（Set Top Box）などに代表される映像信号出力装置として、複数種類の映像信号を出力可能とするものがある。このような映像信号出力装置は、それぞれの映像信号に対応するそれぞれの出力部を備える。また、モニタなどに代表される再生装置も同様であり、入力される複数種類の映像信号のそれぞれを再生可能とするものがある。そして、このような再生装置は、それぞれの映像信号に対応するそれぞれの入力部を備える。
【０００３】
ユーザは、映像信号出力装置の出力部と再生装置の入力部とをケーブルなどで接続することで、映像信号出力装置から出力される映像信号を再生装置に入力し、再生装置で映像信号を再生させる。さらにユーザは、映像信号出力装置及び再生装置のそれぞれを操作することで、映像信号を出力させる出力部及び映像信号を入力させる入力部（即ち、再生する映像信号の種類）を設定する。
【０００４】
しかしながら、ユーザによる映像信号出力装置及び再生装置の設定や、出力部及び入力部の接続が不適切である場合、再生装置で映像信号が適正に再生されない（例えば、無表示になる）ため、問題となる。
【０００５】
そこで、例えば特許文献１及び特許文献２では、出力部に接続されるケーブルの有無を検出する映像信号出力装置が提案されている。また、例えば特許文献３では、出力部に接続されるケーブルの有無と、ユーザによって設定された出力すべき映像信号のフォーマット（解像度や走査方式）を把握し、これらの組み合わせが不適切である場合に、再生可能なフォーマットの映像信号を出力するとともに、不適切であることを表示するための映像信号を再生装置に出力して表示させる映像信号出力装置が提案されている。
【先行技術文献】
【特許文献】
【０００６】
【特許文献１】特開２００５−２６０７９６号公報
【特許文献２】特開２００８−０９２１５１号公報
【特許文献３】特開２００７−０８６４７１号公報
【発明の概要】
【発明が解決しようとする課題】
【０００７】
上記のような映像信号出力装置によれば、設定されている映像信号のフォーマットとケーブルの接続状態とが不適切であることを、ユーザに報知することが可能となる。しかしながら、不適切であることを報知されたユーザが不慣れである場合、解決方法が分からないために不適切な設定及び接続状態が継続し得るため、問題となる。
【０００８】
さらに、上記の映像信号出力装置では、出力すべき映像信号が予め適切に設定されている必要がある。しかしながら、不慣れなユーザにとってはこの設定を行うこと自体が困難である。特に、不慣れなユーザは、映像信号出力装置の出荷後初めての起動時（最初の設定時）に、不適切な設定をすることがある。そして、上記のように一旦不適切な設定がされてしまうと、不慣れなユーザはそれを解決することが困難であるため、問題となる。
【０００９】
そこで、本発明は、映像信号を出力する出力部を容易に設定することを可能とする映像信号出力装置を提供することを目的とする。
【課題を解決するための手段】
【００１０】
上記目的を達成するために、本発明の映像信号出力装置は、映像信号が出力され得る複数の出力部を備えた映像信号出力装置において、前記出力部が外部の機器に接続されているか否かを判定する接続判定部と、前記接続判定部により外部の機器と接続されていると判定された前記出力部の少なくとも１つから映像信号が出力されるように設定する設定動作を行う制御部と、を備えることを特徴とする。
【００１１】
また、上記構成の映像信号出力装置において、前記制御部が、少なくとも前記映像信号出力装置が出荷後初めて起動されるときに、前記設定動作を行うこととしても構わない。
【００１２】
このように構成すると、出荷後初めて映像信号出力装置が起動されるときに、不慣れなユーザが誤った設定をすることを抑制することが可能となる。
【００１３】
また、上記構成の映像信号出力装置において、前記制御部が、前記出力部から出力される映像信号のフォーマットを設定することとしても構わない。
【００１４】
このように構成すると、出力部から出力される映像信号の細かい設定内容（フォーマット）を併せて設定することが可能となる。そのため、出力部から出力される映像信号を容易に設定することが可能となる。
【００１５】
また、上記構成の映像信号出力装置において、前記制御部が、前記出力部に接続される外部の機器の情報を当該出力部を介して取得し、当該情報に基づいて前記映像信号出力装置の設定を行うこととしても構わない。
【００１６】
このように構成すると、出力部を介して外部の機器（例えば、再生装置）の情報を取得して、映像信号出力装置に適用することが可能となる。そのため、容易に映像信号出力装置の設定を行うことが可能となる。なお、この出力部をＨＤＭＩ端子としても構わない。
【００１７】
また、上記構成の映像信号出力装置において、前記接続判定部が、少なくとも１つの前記出力部の所定のピンの信号を検出することにより、当該出力部が外部の機器と接続されているか否かを判定することとしても構わない。
【００１８】
このように構成すると、出力部に接続される外部の機器の有無を、容易かつ自動的に判定することが可能となる。
【００１９】
また、上記構成の映像信号出力装置において、前記出力部の少なくとも１つにテスト用映像信号を供給して、当該出力部から当該テスト用映像信号を出力させる映像信号処理部をさらに備え、前記接続判定部が、当該出力部から出力される前記テスト用映像信号の電圧値を検出することにより、当該出力部が外部の機器と接続されているか否かを判定することとしても構わない。
【００２０】
このように構成すると、出力部に接続される外部の機器の有無を、容易かつ自動的に判定することが可能となる。
【発明の効果】
【００２１】
本発明によると、自動的に映像信号を出力可能な出力部を検出して、映像信号を出力する出力部を設定することが可能となる。そのため、不慣れなユーザであったとしても、映像信号出力装置に外部の機器（例えば、再生装置）を接続するのみで、容易に映像信号を出力する出力部の設定を行うことが可能となる。
【図面の簡単な説明】
【００２２】
【図１】は、本発明の実施形態にかかる映像信号出力装置の構成の一例を示すブロック図である。
【図２】は、本発明の実施形態にかかる映像信号出力装置が行う設定動作の一例を示すフローチャートである。
【図３】は、本発明の実施形態にかかる映像信号出力装置が行う設定動作の一例を示すフローチャートである。
【図４】は、本発明の実施形態にかかる映像信号出力装置が行う設定動作の別例を示すフローチャートである。
【発明を実施するための形態】
【００２３】
以下、本発明の実施形態にかかる映像信号出力装置について図面を参照して説明する。最初に、映像信号出力装置の構成の一例について説明する。図１は、本発明の実施形態にかかる映像信号出力装置の構成の一例を示すブロック図である。
【００２４】
図１に示すように、本例の映像信号出力装置１は、映像信号を取得する映像信号取得部１１と、映像信号取得部１１で取得された映像信号を処理して出力する映像信号処理部１２と、映像信号処理部１２で処理された映像信号を外部の機器に出力する複数の出力部１３ａ〜１３ｅと、各出力部１３ａ〜１３ｅが外部の機器と接続されているか否かを判定する接続判定部１４ａ〜１４ｅと、接続判定部１４ａ〜１４ｅの判定結果が入力されるとともに映像信号出力装置１の全体（特に、映像信号処理部）を制御する制御部１５と、映像信号出力装置１の動作に必要なプログラムや各種データ（特に、映像信号出力装置１の各種設定に関するデータ）を記録する記録部１６と、を備える。
【００２５】
映像信号取得部１１は、例えば、光ディスクの読み取り装置やチューナなどを備える。そして、制御部１５の指示に従って、光ディスクの読み取りや受信処理などを行うことで、映像信号を取得する。
【００２６】
映像信号処理部１２は、映像信号取得部１１で取得された映像信号を処理することで、出力部１３ａ〜１３ｅのそれぞれに対応する種類の映像信号を適宜生成する。そして、生成した映像信号を、対応する出力部１３ａ〜１３ｅに出力する。
【００２７】
出力部１３ａ〜１３ｅは、それぞれ所定のケーブルが接続可能なソケットや端子などを備える。そして、映像信号処理部１２から与えられる映像信号を、接続されたケーブルを介して他の機器に出力する。これにより、例えば映像信号出力装置１とケーブルを介して接続された再生装置で映像信号が再生されたり、録画装置で映像信号が記録されたりすることとなる。
【００２８】
映像信号処理部１２は、制御部１５が記録部１６から読み出して与える映像信号をも表示し得る。このような映像信号として、例えば、メニュー画面や設定画面などを表示するための映像信号、確認用映像信号やテスト用映像信号（詳細は後述）、ＯＳＤ（On Screen Display）表示をするための映像信号などがある。
【００２９】
また、映像信号出力装置１は、例えば出荷後の初めての起動時など、所定の状況下で後述する設定動作を行う。この設定動作が行われる場合に、出力部１３ａ〜１３ｅが外部の機器（映像信号出力装置１以外の装置。例えば、直接的に接続されるケーブルや、ケーブルを介して間接的に接続される再生装置なども含み得る）と接続されているか否かを、接続判定部１４ａ〜１４ｅが判定する。
【００３０】
なお、接続判定部１４ａ〜１４ｅの一部または全部は、制御部１５を構成する演算装置（例えば、ＣＰＵ（Central Processing Unit）の一部としても解釈され得る。また、図１では出力部１３ａ〜１３ｅのそれぞれに対応して同数となる接続判定部１４ａ〜１４ｅを備える構成を例示しているが、一部または全部の出力部１３ａ〜１３ｅの接続状態を判別し得る共通の接続判定部を備える構成としても構わない。また、図１では５つの出力部１３ａ〜１３ｅを備える構成について例示しているが、出力部１３ａ〜１３ｅを複数備える構成であれば、５つ以上であっても５つ以下であっても構わない。
【００３１】
上記の設定動作について、図面を参照して説明する。図２及び図３は、本発明の実施形態にかかる映像信号出力装置が行う設定動作の一例を示すフローチャートである。なお、図３に示すフローチャートは、図２に示すフローチャートの続きを示すものである。
【００３２】
図２及び図３に示すように、最初に、映像信号出力装置１の起動時などに、設定動作を実行するか否かが判定される（ＳＴＥＰ１）。例えば、制御部１５が記録部１６を参照して、映像信号を出力する出力部が以前に設定されているか否か（出荷後初めての起動か否か）を確認することで、当該判定を行う。
【００３３】
映像信号を出力する出力部が、以前に設定されている（出荷後初めての起動ではない）場合、設定動作を行わずに終了する（ＳＴＥＰ１、ＮＯ）。一方、映像信号を出力する出力部が以前に設定されていない（出荷後初めての起動である）場合、設定動作を行う（ＳＴＥＰ１、ＹＥＳ）。
【００３４】
設定動作を行う場合、接続判定部１４ａ〜１４ｅが、それぞれの出力部１３ａ〜１３ｅの接続状態を順次判定する。図２及び図３に示す例では、最初にＨＤＭＩ（High Definition Multimedia Interface）ケーブルが接続され得る出力部（ＨＤＭＩ端子、１３ａ）の接続状態の判定を行う（ＳＴＥＰ２）。
【００３５】
例えば、接続判定部１４ａが、ＨＤＭＩ端子１３ａのホットプラグ検出用ピンの信号（電圧値）を検出することで、接続状態を判定する。具体的に例えば、接続判定部１４ａが、ホットプラグ検出用ピンの信号がハイであることを確認することで、ＨＤＭＩ端子１３ａが外部の機器と接続されていると判定する。また、接続判定部１４ａは、ホットプラグ検出用ピンの信号がローであることを確認することで、ＨＤＭＩ端子１３ａが外部の機器と接続されていないと判定する。
【００３６】
ＨＤＭＩ端子１３ａが外部の機器と接続されている場合（ＳＴＥＰ３、ＹＥＳ）、ＣＥＣ（Consumer Electronics Control）機能を有効とするか否かをユーザに選択させる（ＳＴＥＰ４）。ユーザがＣＥＣ機能を有効とする場合（ＳＴＥＰ５、ＹＥＳ）、映像信号出力装置１の制御部１５が、ＨＤＭＩケーブル及び出力部１３ａを介して再生装置と通信することで、再生装置の種々の設定を取得する。例えば、再生装置の言語設定（例えば、メニューなどを表示する際に使用する言語の設定）を取得して、映像信号出力装置１に適用する（ＳＴＥＰ６）。
【００３７】
これに対して、ＣＥＣ機能を有効としない場合やＣＥＣ機能を実行できない場合（ＳＴＥＰ５、ＮＯ）、ユーザが種々の設定を行う。例えば、映像信号出力装置１の言語設定を、ユーザが行う（ＳＴＥＰ７）。
【００３８】
そして、上記のようにして判定されたＨＤＭＩ端子１３ａの接続状態を、制御部１５が記録部１６に記録する（ＳＴＥＰ８）。このとき、ＨＤＭＩ端子１３ａが外部の機器に接続されていることだけでなく、接続されていないこと（ＳＴＥＰ３、ＮＯ）をも記録しても構わない。また、ＳＴＥＰ６またはＳＴＥＰ７などで行われる言語設定などの種々の設定を、記録部１６に記録しても構わない。
【００３９】
次に、Ｄ端子ケーブルが接続され得る出力部（Ｄ端子、１３ｂ）の接続状態の判定を行う（ＳＴＥＰ９）。例えば、接続判定部１４ｂが、Ｄ端子１３ｂの接続検出用の２本のピンの電圧値を検出することで、接続状態を判定する。
【００４０】
この２本の接続検出用のピンは、Ｄ端子１３ｂにＤ端子ケーブルのコネクタが接続されることで電気的に接続される構成となっており、一方のピンは接地されている。そのため、接続判定部１４ｂが、接地されていない他方のピンに所定の電圧を印加して、他方のピンから検出される電圧値が小さいことを確認することで、Ｄ端子１３ｂが外部の機器と接続されていると判定する。また、接続判定部１４ｂは、他方のピンから検出される電圧値が大きいことを確認することで、Ｄ端子１３ｂが外部の機器と接続されていないと判定する。
【００４１】
Ｄ端子１３ｂが外部の機器と接続されている場合（ＳＴＥＰ１０、ＹＥＳ）、ユーザに走査方式（インタレースまたはプログレッシブ）を選択させる（ＳＴＥＰ１１）。このとき、映像信号処理部１２が、ユーザが選択した走査方式の確認用映像信号（例えば、制御部１５によって与えられる映像信号を処理したもの）をＤ端子１３ｂに与え、当該確認用映像信号を外部に出力させても構わない。これにより、確認用映像信号の映像が再生装置で正しく表示されているか否かをユーザが確認するだけで、走査方式を容易に選択することが可能となる。なお、ユーザが選択していない走査方式の確認用映像信号を、Ｄ端子１３ｂから出力させても構わない。また、ユーザが所定時間以上選択しない場合に、自動的に所定の走査方式（例えば、インタレース）が選択されるように構成しても構わない。
【００４２】
そして、上記のようにして判定されたＤ端子１３ｂの接続状態を、制御部１５が記録部１６に記録する（ＳＴＥＰ１２）。このとき、Ｄ端子１３ｂが外部の機器に接続されていることだけでなく、接続されていないこと（ＳＴＥＰ１０、ＮＯ）をも記録しても構わない。また、ＳＴＥＰ１１で選択される走査方式などの種々の設定を、記録部１６に記録しても構わない。
【００４３】
上記の出力部１３ａ，１３ｂは、接続状態を判定するためのピンを有するものであったが、そのようなピンを有していない出力部１３ｃ〜１３ｅでも、接続状態を判定することは可能である。以下のステップでは、この出力部１３ｃ〜１３ｅの接続状態の判定を行う。
【００４４】
出力部１３ｃ〜１３ｅの接続状態の判定を行うために、映像信号処理部１２は、出力部１３ｃ〜１３ｅのそれぞれに対応する種類のテスト用映像信号（例えば、制御部１５によって与えられる映像信号を処理したもの）を順次生成し、出力する（ＳＴＥＰ１３）。なお、テスト用映像信号は、所定の信号値（例えば、電圧値が最大となる１００ＩＲＥ：白）の信号とすると好ましい。
【００４５】
テスト用映像信号が出力されると、まずコンポーネントケーブルが接続され得る出力部（コンポーネント端子、１３ｃ）の接続状態の判定を行う（ＳＴＥＰ１４）。例えば、接続判定部１４ｃが、テスト用映像信号が出力されているコンポーネント端子１３ｃ（特に、輝度信号を出力するピン）の信号値が、所定の値となっているか否かに基づいて、接続状態を判定する。
【００４６】
再生装置は、映像信号が入力される回路上に所定の負荷（例えば、７５Ωの終端抵抗）を備える構成となっている。そのため、コンポーネント端子１３ｃから所定の信号値（電圧値）となるテスト用映像信号を出力しようとする場合に、接続判定部１４ｃが、コンポーネント端子１３ｃの所定のピンの電圧値が所定の値（負荷に応じた電圧値）であることを確認することで、コンポーネント端子１３ｃが外部の機器と接続されていると判定する。また、接続判定部１４ｃは、コンポーネント端子１３ｃの所定のピンの電圧値が所定の値ではない（例えば、負荷が接続されないため所定の値より大きい電圧値となる）ことを確認することで、コンポーネント端子１３ｃが外部の機器と接続されていないと判定する。
【００４７】
そして、上記のようにして判定されたコンポーネント端子１３ｂの接続状態を、制御部１５が記録部１６に記録する（ＳＴＥＰ１２）。このとき、コンポーネント端子１３ｃが外部の機器に接続されていることだけでなく、接続されていないことをも記録しても構わない。
【００４８】
また、上記の接続判定部１４ｃ及びコンポーネント端子１３ｃと同様に、接続判定部１４ｄがＳ端子１３ｄの接続状態の判定を行い（ＳＴＥＰ１６）、その判定結果を記録部１６に記録する（ＳＴＥＰ１７）。さらに同様に、接続判定部１４ｅがコンポジット端子１３ｅの接続状態の判定を行い（ＳＴＥＰ１７）、その判定結果を記録部１６に記録する（ＳＴＥＰ１８）。そして、出力部１３ｃ〜１３ｅの接続状態の判定が終了すると、映像信号処理部１２は、テスト用映像信号の出力を停止する（ＳＴＥＰ２０）。
【００４９】
ＳＴＥＰ１４において、コンポーネント端子１３ｃが外部の機器と接続されていると判定される場合（ＳＴＥＰ２１、ＹＥＳ）、ユーザに走査方式（インタレースまたはプログレッシブ）を選択させる（ＳＴＥＰ２２）。このとき、ＳＴＥＰ１１と同様に、映像信号処理部１２が、ユーザが選択した走査方式の確認用映像信号をコンポーネント端子１３ｃに与え、確認用映像信号を外部に出力させても構わない。また、ユーザが選択していない走査方式の確認用映像信号を、コンポーネント端子１３ｃから出力させても構わない。また、ユーザが所定時間以上選択しない場合に、自動的に所定の走査方式が選択されるように構成しても構わない。
【００５０】
そして、上記のようにしてコンポーネント端子１３ｃから出力される映像信号の走査方式が設定されると、制御部１５が当該設定結果を記録部１６に記録し（ＳＴＥＰ２３）、終了する。一方、ＳＴＥＰ１４においてコンポーネント端子１３ｃが外部の機器と接続されていないと判定される場合（ＳＴＥＰ２１、ＮＯ）は、そのまま終了する。
【００５１】
以上のように構成すると、映像信号出力装置１が設定動作を行い、自動的に映像信号を出力可能な出力部（出力可能な映像信号の種類）を検出することが可能となる。そのため、不慣れなユーザであったとしても、映像信号出力装置１と再生装置とを接続して起動するのみで、容易に映像信号を出力する出力部（出力する映像信号の種類）の設定を行うことが可能となる。したがって、映像信号出力装置１と再生装置との接続や映像信号出力装置１の設定が不適切であるために再生装置で映像信号が良好に再生されないことを、抑制することが可能となる。
【００５２】
また、映像信号出力装置１は、映像信号が出力される出力部（出力する映像信号の種類）の設定と同時に、走査方式を設定する。走査方式のような映像信号の細かな設定内容はユーザに理解され難いため、不適切な設定であったとしても修正され難い。また、このような細かい設定内容を修正するためには、映像信号出力装置１の煩雑な操作（例えば、設定画面の選択肢を多数回選択する操作）が必要となる。そのため、本実施形態の映像信号出力装置１のように、設定動作によって映像信号の細かい設定内容を併せて設定することにより、容易に出力する映像信号の設定を行うことが可能となる。
【００５３】
また、ＨＤＭＩ端子１３ａが接続されている場合、再生装置の設定を映像信号出力装置１に適用することが可能となる。そのため、より容易に映像信号出力装置１の設定を行うことが可能となる。
【００５４】
なお、図２及び３に示す設定動作では、映像信号を出力可能な出力部（出力可能な映像信号の種類）を全て検出及び設定した上で終了するものとしたが、いずれかの出力部で映像信号が出力可能であることが確認され、当該出力部の設定が完了した時点で終了しても構わない。即ち、ＳＴＥＰ８、ＳＴＥＰ１２、ＳＴＥＰ１５、ＳＴＥＰ１７、ＳＴＥＰ１９及びＳＴＥＰ２３で映像信号を出力可能な出力部の設定を記録する場合、必要に応じてテスト用映像信号の出力を停止したり走査方式を選択したりするなどして、終了に進んでも構わない。この場合、優先度の高い出力部（例えば、解像度の高さや生成方法などにより良好な映像が再生され得る映像信号を出力するものや、ＣＥＣなどの種々の制御を利用することができるものなど）から順番に接続状態を判定することとすると、好適な映像信号を出力する出力部から映像信号が出力されるように、迅速に設定することができるため、好ましい。
【００５５】
また、図２及び図３に示す設定動作の結果、複数の出力部が映像信号を出力可能として判定される場合、その中から少なくとも１つの出力部をユーザに選択させ、選択された出力部から映像信号を出力させるように設定しても構わない。
【００５６】
また、出力不能と判定された出力部や、上記のように映像信号を出力する出力部を限定する場合において除外された出力部に対して、映像信号処理部１２が映像信号を生成しないこととしても構わない。このように構成すると、消費電力を低減することが可能となるとともに、出力部が電気的に接続されるなどして何らかの障害が発生することを抑制することが可能となる。
【００５７】
また、例えばＳＴＥＰ１１及びＳＴＥＰ２２において、映像信号の走査方式を選択することとしたが、走査方式に限らず、解像度などの他の映像信号のフォーマット（同一の出力部から出力され得る映像信号の種々の形式）を選択可能としても構わない。また、Ｄ端子１３ｂ及びコンポーネント端子１３ｃに限らず、他の出力部１３ａ、１３ｄ、１３ｅから出力され得る映像信号のフォーマットについて、選択可能としても構わない。
【００５８】
また、上述の設定動作が、出荷後初めての起動時のみに限られず、ユーザによる任意のタイミングで行われ得るように構成しても構わない。この場合、新たな設定内容で以前の設定内容が更新されることとする。
【００５９】
また、図２及び図３に示す設定動作は一例に過ぎず、設定する出力部の種類や順番を適宜変更しても構わない。例えば、Ｄ端子が普及していない北米などの地域での使用を前提とする映像信号出力装置について、Ｄ端子を設けず設定を行わない（ＳＴＥＰ９〜ＳＴＥＰ１２を行わない）こととしても構わない。
【００６０】
反対に、ＳＣＡＲＴ端子が普及している欧州などの地域での使用を前提とする映像信号出力装置について、ＳＣＡＲＴ端子を設けて設定を行なうこととしても構わない。この映像信号出力装置で行われる設定動作について、図面を参照して説明する。図４は、本発明の実施形態にかかる映像信号出力装置が行う設定動作の別例を示すフローチャートであり、図３に示すフローチャートに相当するものである。なお、図３と同様に図４も、図２に示すフローチャートの続きを示すものである。また、上述した図１のブロック図に関する説明や、図２及び図３のフローチャートに関する説明は、矛盾なき限り図４に示すフローチャートにも適用されるものとする。
【００６１】
図４に示すように、ＳＣＡＲＴ端子を含む各出力部の接続状態の判定を行うために、映像信号処理部１２は、各出力部のそれぞれに対応する種類のテスト用映像信号（上述したテスト用映像信号と同様）を順次生成し、出力する（ＳＴＥＰ３１）。ＳＣＡＲＴ端子は、コンポジット信号とＲＧＢ信号とを出力可能なものであるが、いずれか一方の信号に基づいて接続状態を判定することができる。なお、以下ではコンポジット信号に基づいて接続状態を判定する場合について説明している。
【００６２】
テスト用映像信号が出力されると、まずＳＣＡＲＴケーブルが接続され得る出力部（コＳＣＡＲＴ端子）の接続状態の判定を行う（ＳＴＥＰ３２）。例えば、接続判定部が、テスト用映像信号が出力されているＳＣＡＲＴ端子（特に、コンポジット信号の輝度信号を出力するピン）の信号値（電圧値）が、所定の値となっているか否かに基づいて、接続状態を判定する。
【００６３】
そして、判定されたＳＣＡＲＴ端子の接続状態を、制御部が記録部に記録する（ＳＴＥＰ３３）。このとき、ＳＣＡＲＴ端子が外部の機器に接続されていることだけでなく、接続されていないことをも記録しても構わない。また、ＳＣＡＲＴ端子と同様に、接続判定部がコンポーネント端子の接続状態の判定を行い（ＳＴＥＰ３４）、その判定結果を記録部に記録する（ＳＴＥＰ３５）。なお、これらの出力部の判定方法は、図３に示すテスト用映像信号を用いた判定方法と同様のものであるため、詳細な説明については省略する。
【００６４】
ところで、映像信号処理装置（特に、映像信号処理部）の構成の簡略化などのために、ＳＣＡＲＴ端子が出力し得るＲＧＢ信号と、コンポーネント端子が出力し得るコンポーネント信号と、の同時出力ができない場合がある。このような場合、いずれの信号を出力するかをユーザに選択させる（ＳＴＥＰ３７）。また制御部は、この選択結果を記録部に記録する（ＳＴＥＰ３８）。そして、ＳＣＡＲＴ端子及びコンポーネント端子の接続状態の判定が終了すると、映像信号処理部がテスト用映像信号の出力を停止する（ＳＴＥＰ３９）。
【００６５】
ＳＴＥＰ３７において、コンポーネント端子が映像信号を出力するものとして設定される場合（ＳＴＥＰ４０、ＹＥＳ）、ユーザに走査方式を選択させ（ＳＴＥＰ４１）、制御部が選択結果を記録部に記録し（ＳＴＥＰ４２）、終了する。なお、この選択に関する同動作は、図３に示したＳＴＥＰ２２及びＳＴＥＰ２３と同様のものであるため、詳細な説明については省略する。一方、ＳＴＥＰ３５やＳＴＥＰ３８においてコンポーネント端子が映像信号を出力しないものとして設定される場合（ＳＴＥＰ４０、ＮＯ）は、そのまま終了する。
【００６６】
このように構成すると、装置の構成上同時に出力できない信号について、ユーザにいずれを出力するかを選択させることが可能となる。そのため、ユーザが所望する映像信号を出力することが可能となる。なお、本例ではＳＣＡＲＴ端子のＲＧＢ信号及びコンポーネント信号を同時に出力できないもとして説明したが、他の種類の映像信号であっても構わない。
【００６７】
また、図４のＳＴＥＰ３５及びＳＴＥＰ３６の間で、図３のＳＴＥＰ１６及びＳＴＥＰ１７（Ｓ端子の設定）を行っても構わない。
【００６８】
以上、本発明における実施形態について説明したが、本発明の範囲はこれに限定されるものではなく、発明の主旨を逸脱しない範囲で種々の変更を加えて実行することができる。
【産業上の利用可能性】
【００６９】
本発明は、光ディスク読取装置やＳＴＢなどに代表される映像信号出力装置に利用可能であり、特に映像信号を出力し得る複数の出力部を備える映像信号出力装置に利用可能である。
【符号の説明】
【００７０】
１    音声信号出力装置
１１  映像信号取得部
１２  映像信号処理部
１３ａ〜１３ｅ  出力部
１４ａ〜１４ｅ  接続判定部
１５  制御部
１６  記録部
【図１】
2011151646.tif 000003
【図２】
2011151646.tif 000004
【図３】
2011151646.tif 000005
【図４】
2011151646.tif 000006